(57)【要約】      （修正有）【課題】障壁連続ループの侵入検出を備えた再構成可能な囲い込みシステムを提供する。【解決手段】囲い込みシステムは、障壁セグメントと各障壁セグメントに接続された少なくとも１つの電気ケーブルとを含む。各電気ケーブルは、電気ケーブルの第１の終点と第２の終点のそれぞれに配置された電気コネクタを有する。各電気コネクタは、隣接する電気ケーブルの別の電気コネクタと解放可能に接続されて、障壁セグメントを通る少なくとも１つの連続ループを形成する。各連続ループは、連続ループの自由端に配置された２つの電気終端１６０、１６１を含む。比較器システムが、それぞれの連続ループに接続され、電流がそれぞれの連続ループの２つの電気終端のうちの１つから比較器システムに流れる時に、閉ループ信号を生成し、電流がそれぞれの連続ループの２つの電気終端のうちの１つから比較器システムに流れることを止めるときに、開ループ信号を生成する。【選択図】図１Ａ
2020129361.tif 000002
【特許請求の範囲】
【請求項１】
障壁セグメント（１３０、１３１、１３２）、
各障壁セグメント（１３０、１３１、１３２）に接続された少なくとも１つの電気ケーブル（１４０、１４１、１４２）であって、各電気ケーブル（１４０、１４１、１４２）は、前記電気ケーブル（１４０、１４１、１４２）の第１の終点（１５２）と第２の終点（１５３）のそれぞれに配置された電気コネクタ（１５０、１５１）を有し、各電気コネクタ（１５０、１５１）は、前記障壁セグメント（１３０、１３１、１３２）を通る少なくとも１つの連続ループ（１０１）を形成するように、隣接する電気ケーブル（１４０、１４１、１４２）の別の電気コネクタ（１５０、１５１）と解放可能に接続されるように構成され、各連続ループ（１０１）は、前記連続ループ（１０１）の自由端（１６２、１６３）に配置された２つの電気終端（１６０、１６１）を含む、少なくとも１つの電気ケーブル（１４０、１４１、１４２）、並びに
それぞれの連続ループ（１０１）に接続された比較器システム（１１０）であって、電流が、前記それぞれの連続ループ（１０１）の前記２つの電気終端（１６０、１６１）のうちの一方から前記比較器システム（１１０）に流れるときに、閉ループ信号（１１２）を生成し、電流が、前記それぞれの連続ループ（１０１）の前記２つの電気終端（１６０、１６１）のうちの一方から前記比較器システム（１１０）に流れることを止めるときに、開ループ信号（１１１）を生成するように構成された、比較器システム（１１０）を備える、囲い込みシステム（１００）。
【請求項２】
前記それぞれの連続ループ（１０１）の前記２つの電気終端（１６０、１６１）のうちの他方に対して接続された電流源（１７０）を更に備え、前記電流源（１７０）が、少なくとも前記それぞれの連続ループ（１０１）に電流を供給するように構成されている、請求項１に記載の囲い込みシステム（１００）。
【請求項３】
前記電流源（１７０）が直流電源（１７１）を備える、請求項２に記載の囲い込みシステム（１００）。
【請求項４】
前記電流源（１７０）が、交流線電力（１７３）を直流電力に変換する交流・直流変換器（１７４）を備える、請求項２に記載の囲い込みシステム（１００）。
【請求項５】
前記比較器システム（１１０）が、前記交流線電力（１７３）の損失を示すように構成された線電圧比較器（１１６）を含む、請求項１から４のいずれか一項に記載の囲い込みシステム（１００）。
【請求項６】
前記比較器システム（１１０）が、比較器（１１３）、並びに聴覚インジケータ（１１４）及び視覚インジケータ（１１５）のうちの１以上を備え、前記聴覚インジケータ（１１４）及び視覚インジケータ（１１５）のうちの１以上が、電流の流れが前記比較器（１１３）において受け取られたことの表示を提供するように構成されている、請求項１から５のいずれか一項に記載の囲い込みシステム（１００）。
【請求項７】
前記比較器システム（１１０）が、囲い込みコントローラ（１２０）と通信可能に接続され、前記囲い込みコントローラ（１２０）は、前記比較器システム（１１０）が前記開ループ信号（１１１）を生成したときに、前記少なくとも１つの連続ループ（１０１）のそれぞれの連続性の接続解除を示すように構成された、聴覚インジケータ（１２２）と視覚インジケータ（１２１）のうちの１以上を含む、請求項１から６のいずれか一項に記載の囲い込みシステム（１００）。
【請求項８】
少なくとも１つの障壁セグメント（１３０、１３１、１３２）に沿って延在する一連の電気接続されたケーブル（６２０）であって、前記一連の電気接続されたケーブル（６２０）の隣接する電気ケーブル（１４０、１４１、１４２）が、前記少なくとも１つの障壁セグメント（１３０、１３１、１３２）を通る連続ループ（１０１）を形成するように、互いに対して電気接続されている、一連の電気接続されたケーブル（６２０）、及び
前記連続ループ（１０１）に接続され、前記隣接する電気ケーブル（１４０、１４１、１４２）の間の連続性を表す聴覚表示と視覚表示のうちの１以上を生成するように構成された、比較器システム（１１０）を備える、障壁システム（６０４）。
【請求項９】
前記比較器システム（１１０）は、電流がそれぞれの連続ループ（１０１）の終端（１６０、１６１）において前記比較器システム（１１０）によって検出されたときに、閉ループ信号（１１２）を生成し、電流の不存在が前記それぞれの連続ループ（１０１）の前記終端（１６０、１６１）において前記比較器システム（１１０）によって検出されたときに、開ループ信号（１１１）を生成するように構成されている、請求項８に記載の障壁システム（６０４）。
【請求項１０】
前記少なくとも１つの障壁セグメント（１３０、１３１、１３２）が、障壁セグメントのインターフェース（６６６）を画定するように、互いに対して連続的に配置された複数の障壁セグメント（１３０、１３１、１３２）を備え、前記隣接する電気ケーブル（１４０、１４１、１４２）が、それぞれの障壁セグメントのインターフェース（６６６）において互いに対して電気接続されている、請求項８又は９に記載の障壁システム（６０４）。
【請求項１１】
前記複数の障壁セグメント（１３０、１３１、１３２）が、囲い込み（５５０）の側部（６７０〜６７３）を形成するように連続的に配置され、各側部（６７０〜６７３）が、それぞれの連続ループ（１０１）を有し、前記比較器システム（１１０）が、各それぞれの連続ループ（１０１）向けのそれぞれの比較器（１１３）を含む、請求項１０に記載の障壁システム（６０４）。
【請求項１２】
それぞれの側部（６７０〜６７３）向けのそれぞれの連続ループ（１０１）の一部分が、前記それぞれの側部（６７０〜６７３）と隣接する側部（６７０〜６７３）の両方に共通である、請求項１１に記載の障壁システム（６０４）。
【請求項１３】
前記複数の障壁セグメント（１３０、１３１、１３２）が、囲い込み（５５０）の側部（６７０〜６７３）を形成するように連続的に配置され、前記連続ループ（１０１）が、２つ以上の側部（６７０〜６７３）に沿って延在する、請求項１０に記載の障壁システム（６０４）。
【請求項１４】
閉鎖エリア（５００）内の権限のない存在をオペレータに警告する方法（８００）であって、
一連の電気接続されたケーブル（６２０）内の隣接する電気ケーブル（１４０、１４１、１４２）の電気コネクタ（１５０、１５１）を接続解除することであって、前記一連の電気接続されたケーブル（６２０）が、少なくとも１つの障壁セグメント（１３０、１３１、１３２）に沿って延在し、前記隣接する電気ケーブル（１４０、１４１、１４２）が、前記少なくとも１つの障壁セグメント（１３０、１３１、１３２）を通る連続ループ（１０１）を形成するように、互いに対して電気接続されている、電気コネクタ（１５０、１５１）を接続解除すること、
前記一連の電気接続されたケーブル（６２０）に接続された比較器システム（１１０）を用いて開ループ信号（１１１）を生成することであって、前記開ループ信号（１１１）が、前記比較器システム（１１０）による、前記一連の電気接続されたケーブル（６２０）の各終端（１６０、１６１）における電圧の比較に基づいて、前記一連の電気接続されたケーブル（６２０）内の電流の不存在を示す、開ループ信号（１１１）を生成すること、及び
前記開ループ信号（１１１）に基づいて、聴覚表示と視覚表示のうちの少なくとも一方を生成することを含む、方法（８００）。
【請求項１５】
前記比較器システム（１１０）を用いて閉ループ信号（１１２）を生成することであって、前記閉ループ信号（１１２）が、前記比較器システム（１１０）による、前記一連の電気接続されたケーブル（６２０）の各終端（１６０、１６１）における電圧の比較に基づいて、前記一連の電気接続されたケーブル（６２０）内の電流の存在を示す、閉ループ信号（１１２）を生成することを更に含む、請求項１４に記載の方法（８００）。
【発明の詳細な説明】
【技術分野】
【０００１】
例示的な実施形態は、広くは、囲い込みに関し、特に、侵入検出を備えた再構成可能な囲い込みに関する。
【背景技術】
【０００２】
一般的に、所定の閉鎖エリアに対するアクセスが制限されるときに、所定の閉鎖エリアは障壁によって囲い込まれる。多くの場合に、障壁は、フェンス（fencing）、レール（railing）、移動可能バリケードゲート、及び／又は群衆管理支柱（crowd control stanchion）である。所定の閉鎖エリアへの制限されたアクセスは、製造工程が所定の閉鎖エリア内で実行されている間に、個人又は移動機械（フォークリフトなど）が、所定の閉鎖エリアに入るのを防ぐために製造環境内にあってよい。製造工程が、固定された場所で実行されるときに、障壁は、（工場の床上などの）適所に固定され、動かない。しかし、製造工程で移動式又はパルス式のアセンブリラインが使用されるときに、製造されている物品が工場全体を移動するため、固定された障壁が適用できない場合がある。移動する物品に対応するために、移動式又はパルス式のアセンブリライン上で製造されている物品を取り囲むように、互いに隣接して配置されたフェンスの独立したセグメントなどの、一時的な障壁が採用されている。しかし、フェンスの隣接する独立したセグメントの間に間隙が存在し、その間隙は、所定の閉鎖エリアの中への進入ポイントを形成する場合がある。隣接する独立したセグメントは、間隙及び進入ポイントを閉じるために、互いに対してストラップ又はバックルで留められる。
【発明の概要】
【０００３】
したがって、少なくとも上述の懸念に対処することを意図した装置及び方法が有用となろう。
【０００４】
下記は、本開示による主題の実施例の非網羅的なリストであり、それらは、特許請求されることも或いはされないこともある。
【０００５】
本開示による主題の一実施例は、囲い込みシステムに関する。該システムは、障壁セグメント、各障壁セグメントに接続された少なくとも１つの電気ケーブルであって、各電気ケーブルは、電気ケーブルの第１の終点と第２の終点のそれぞれに配置された電気コネクタを有し、各電気コネクタは、障壁セグメントを通る少なくとも１つの連続ループを形成するように、隣接する電気ケーブルの別の電気コネクタと解放可能に接続されるように構成され、各連続ループは、連続ループの自由端に配置された２つの電気終端を含む、少なくとも１つの電気ケーブル、並びに、それぞれの連続ループに接続された比較器システムであって、電流が、それぞれの連続ループの２つの電気終端のうちの一方から比較器システムに流れるときに、閉ループ信号を生成し、電流が、それぞれの連続ループの２つの電気終端のうちの一方から比較器システムに流れることを止めるときに、開ループ信号を生成するように構成された、比較器システムを備える。
【０００６】
本開示による主題の別の一実施例は、障壁システムに関する。該システムは、少なくとも１つの障壁セグメントに沿って延在する一連の電気接続されたケーブルであって、一連の電気接続されたケーブルの隣接する電気ケーブルは、少なくとも１つの障壁セグメントを通る連続ループを形成するように、互いに対して電気接続されている、一連の電気接続されたケーブル、及び、連続ループに接続され、隣接する電気ケーブルの間の連続性を表す聴覚と視覚の表示のうちの１以上を生成するように構成された、比較器システムを備える。
【０００７】
本開示による主題の更に別の一実施例は、閉鎖エリア内の権限のない存在をオペレータに警告する方法に関する。該方法は、一連の電気接続されたケーブル内の隣接する電気ケーブルのコネクタを接続解除することであって、一連の電気接続されたケーブルは、少なくとも１つの障壁セグメントに沿って延在し、隣接する電気ケーブルは、少なくとも１つの障壁セグメントを通る連続ループを形成するように、互いに対して電気接続されている、コネクタを接続解除すること、一連の電気接続されたケーブルに接続された比較器システムを用いて開ループ信号を生成することであって、開ループ信号は、比較器システムによる、一連の電気接続されたケーブルの各終端における電圧の比較に基づいて、一連の電気接続されたケーブル内の電流の不存在を示す、開ループ信号を生成すること、及び、開ループ信号に基づいて、聴覚と視覚の表示のうちの少なくとも一方を生成することを含む。
【０００８】
本開示の例は上記で概括的に説明されており、以後添付図面を参照することになるが、図面は必ずしも正寸で描かれておらず、類似の参照記号は、複数の図を通して同じ又は類似した部分を指し示している。
【図面の簡単な説明】
【０００９】
【図１Ａ】本開示の態様による、囲い込みシステムの概略的なブロック図である。
【図１Ｂ】本開示の態様による、図１Ａの囲い込みシステムの一部分の概略的なブロック図である。
【図２】本開示の態様による、図１Ａの囲い込みシステムの一部分の概略的なブロック図である。
【図３】本開示の態様による、図１Ａの囲い込みシステムの一部分の概略図である。
【図４】本開示の態様による、図１Ａの囲い込みシステムの一部分の概略図である。
【図５】本開示の態様による、図１Ａの囲い込みシステムの一部分の概略図である。
【図６Ａ】本開示の態様による、図１Ａの囲い込みシステムの障壁セグメント及び電気接続されたケーブルの概略図である。
【図６Ｂ】本開示の態様による、図１Ａの囲い込みシステムの障壁セグメント及び電気接続されたケーブルの概略図である。
【図６Ｃ】本開示の態様による、図１Ａの囲い込みシステムの障壁セグメント及び電気接続されたケーブルの概略図である。
【図７】本開示の態様による、複数の囲い込みであって、複数の囲い込みのそれぞれが、それぞれの単一の連続ループ又は複数の連続ループを有する、複数の囲い込みを有する、図１Ａの囲い込みシステムの概略図である。
【図８】本開示の態様による、方法のブロック図である。
【発明を実施するための形態】
【００１０】
図１Ａ〜図１Ｃを参照すると、本開示の態様は、連続ループの侵入／脱出の検出を備えた再構成可能な囲い込みシステム１００を提供する。囲い込みシステム１００は、移動可能であり、所定の閉鎖エリア５００（例えば、図４参照）の中への又はからのアクセスを制限するための１以上の一時的及び／又は恒久的障壁を形成してよい（この場合の所定の閉鎖エリア５００は、一時的な障壁が、制限されたアクセスを有する囲い込みを生成するために使用される、土地の一区画、娯楽施設、建設現場、工場の部分、又は他の適切な場所であってよい）。一態様では、囲い込みシステム１００が、所定の閉鎖エリア（例えば、図４及び図７参照）を画定するように、所定の閉鎖エリアを完全に取り囲む／囲い込むように構成されてよい。別の一態様では、囲い込みシステム１００が、所定の閉鎖エリア５００（例えば、図５参照）を画定するために、天然障壁（例えば、河川、山、水域など）又は人工構造物（例えば、壁、建築物など）が、囲い込みシステム１００の端部の間で延在する場合に、所定の閉鎖エリアを部分的に取り囲む／囲い込むように構成されてよい。更に別の一態様では、囲い込みシステム１００が、所定の閉鎖エリア５００を完全に囲い込むか又は囲い込まないかもしれないが、所定の閉鎖エリア５００の所定の境界６１０（図６Ａ参照）を横断することを防止するための障壁を形成する、障壁システム６０４（例えば、図６Ａ参照）の形態を採ってよい。例えば、障壁は、山々６０１、６０２（図６Ａ参照）などの天然障壁の間に配置されてよい。それは、山々６０１、６０２（又は人工構造物）の間を通過して、所定の閉鎖エリア５００の中へ出入りすることを実質的に防止するためである（この場合の所定の閉鎖エリア５００は、一時的な障壁が、制限されたアクセスを有する囲い込みを生成するために使用される、土地の一区画、娯楽施設、建設現場、州／国の境界、工場の部分、又は他の適切な場所であってよい）。
【００１１】
囲い込みシステム１００は、それぞれの（１以上の）連続ループ１０１を通過する２４ボルトの直流（VDC）電圧などの、低電圧信号の存在又は不存在を検出する（例えば、定電圧源からの電流を検出する）ように構成された、少なくとも１つの比較器１１３を含む、比較器システム１１０を通る侵入／脱出の検出を含む。２４VDC電圧信号は、可燃ガス、蒸気、及び／又は液体が存在する場所を含む、任意の適切なインドア及び／又はアウトドアの（１以上の）環境内での、囲い込みシステム１００の使用を提供することができる。比較器システム１１０は、低電圧信号が存在するか又は存在しないかに応じて、（電流の損失及び所定の閉鎖エリア５００の中への侵入又はからの脱出の可能性を示す）開ループ信号１１１又は（電流の存在及び無傷／適切に設置された障壁を示す）閉ループ信号１１２のうちの何れかを出力するように構成されている。比較器システム１１０は、ゼロVDCの電圧信号とゼロVDCより上の任意の電圧とを区別するように構成されている。それによって、囲い込みシステム１００の単一の連続ループ１０１の長さ６９９（図６Ａ参照）が、一態様では、約１マイル（約１．６キロメートル）より長い距離に及んでよく、他の態様では、約３マイル（約４．８キロメートル）と約５マイル（約８キロメートル）の間の距離に及んでよい。囲い込みシステム１００の動作可能な長さは、（１以上の）連続ループ１０１内に実質的な負荷を有さないこと、及び比較器システム１１０の少なくとも１つの（１以上の）比較器１１３〜１１３ｎへの高インピーダンス入力を有することによって促進され得る。
【００１２】
囲い込みシステム１００は、電流が少なくとも１つの比較器１１３〜１１３ｎにおいて受け取られたことの表示を提供する、視覚インジケータ１１５、１２１と聴覚インジケータ１１４、１２２のうちの１以上を含む。例えば、比較器１１３〜１１３ｎのうちの１つが、比較器１１３〜１１３ｎのうちの１つにおいて受け取られる電流が損失したことを表示する、開ループ信号１１１を出力するときに、例えば、視覚インジケータ１１５、１２１及び／又は聴覚インジケータ１１４、１２２が起動される。視覚インジケータ１１５、１２１は、オペレータ（例えば、工場労働者、牧場労働者、国境警備隊、警備員、警察など）に、連続ループ１０１のうちの少なくとも１つの連続性の接続解除、及び所定の閉鎖エリア５００の中への潜在的な侵入又はからの脱出を通知する、任意の適切な光、ストロボ、又は他の適切な視覚キューであってよい。聴覚インジケータ１１４、１２２は、オペレータ（例えば、工場労働者、牧場労働者、国境警備隊、警備員、警察など）に、連続ループ１０１のうちの少なくとも１つの連続性の接続解除、及び所定の閉鎖エリア５００の中へ潜在的な侵入又はからの脱出を通知する、任意の適切なサイレン、警笛、又は他の適切な可聴キューであってよい。
【００１３】
更に図１Ａ〜図１Ｃを参照すると、（２つの天然又は人工の特徴／構造物の間をわたる障壁システム６０４の形態を採り得る、図６Ａ参照）囲い込みシステム１００は、１以上の（１以上の）障壁セグメント１３０、１３１、１３２（例示目的のみで、３つの障壁セグメントがが、図１Ａの各連続ループ１０１〜１０１ｎ内に示されており、他の態様では、３つより多い又は少ない障壁セグメントが、各連続ループ１０１〜１０１ｎ内に存在してよい）、及び、各それぞれの障壁セグメント１３０、１３１、１３２に接続された、少なくとも１つの電気ケーブル１４０、１４１、１４２（例示目的のみで、３つの電気ケーブルが、図１Ａの各連続ループ１０１〜１０１ｎ内に示されており、他の態様では、３つより多い又は少ない障壁セグメントが、各連続ループ１０１〜１０１ｎ内に存在してよい）を含む。例えば、少なくとも１つの電気ケーブル１４０が、障壁セグメント１３０に沿って延在し、少なくとも１つの電気ケーブル１４１が、障壁セグメント１３１に沿って延在し、且つ、少なくとも１つの電気ケーブル１４２が、障壁セグメント１３２に沿って延在する。各電気ケーブル１４０、１４１、１４２は、電気ケーブル１４０、１４１、１４２の第１の終点１５２と第２の終点１５３のそれぞれにおいて配置された電気コネクタ１５０、１５１を有する。各電気コネクタ１５０、１５１は、一連の電気接続されたケーブル６２０を形成するために、隣接する電気ケーブル１４０、１４１、１４２の別の電気コネクタ１５０、１５１と解放可能に接続されるように構成されている（図６Ａも参照）。電気コネクタ１５０、１５１は、例えば、磁気接続されたコネクタ６９０（図６Ａは、少なくとも１つの導体６９２、及び２つの電気ケーブルの終端とそれぞれの導体とを共に接続する磁石を含む）、又は内部に１以上の導体６９２、６９３を有するRCAタイプのコネクタ６９１（図６Ａ）などの、（例えば、篏合する電気コネクタに損傷を与えることなく実質的に瞬時に分離させ／引き離す）任意の適切な解放可能コネクタであってよい。１以上の導体６９２、６９３は、１８個のゲージ導体（gauge conductor）であってよく、一方、他の態様では、１以上の導体が、１８より多い又は少ないゲージであってよい。一連の電気接続されたケーブル６２０は、障壁セグメント１３０、１３１、１３２を通る少なくとも１つの連続ループ１０１を形成するように、互いに対して電気接続されている（本明細書で説明されるように、単一の障壁セグメントが、単一の障壁セグメントの異なる標高（elevation）において１つより多い連続ループを有する場合がある）。例示目的のみで、図１Ａでは３つの障壁セグメントが示されているが、一連の電気接続されたケーブル６２０は、少なくとも１つの障壁セグメント１３０、１３１、１３２を通って延在してよい。
【００１４】
図１Ａで示されているように、１つより多い連続ループ１０１〜１０１ｎ（図３も参照）が、それぞれの障壁セグメント１３０〜１３０ｎ、１３１〜１３１ｎ、１３２〜１３２ｎを通って延在する、それぞれの電気ケーブル１４０〜１４０ｎ、１４１〜１４１ｎ、１４２〜１４２ｎによって形成されてよい。一態様では、連続ループの２以上が、障壁セグメント１３０〜１３０ｎ、１３１〜１３１ｎ、１３２〜１３２ｎによって形成された、囲い込み５５０（図４、図５、及び図７参照）の共通の（すなわち、同じ）側に配置されてよい。別の一態様では、連続ループのうちの２以上が、障壁セグメント１３０〜１３０ｎ、１３１〜１３１ｎ、１３２〜１３２ｎによって形成された、囲い込み５５０の異なる側に配置されてよい（例えば、囲い込み５５０の各側６７０〜６７３が、それぞれの（１以上の）連続ループ１０１〜１０１ｎを有する）。各連続ループ１０１〜１０１ｎは、連続ループ１０１〜１０１ｎの自由端１６２、１６３に配置された、２つの電気終端１６０、１６１を含む。連続ループの自由端１６２、１６３は、隣接する電気ケーブルに接続されていない。例えば、電気終端１６０のうちの一方は、２４VDC源などの（本明細書で電流源１７０と称される）電流／電圧源に接続されてよい。電気終端１６１のうちの他方は、比較器システム１１０のそれぞれの比較器１１３〜１１３ｎに接続されてよい。それによって、比較器システム１１０は、それぞれの連続ループ１０１〜１０１ｎに接続される。一態様では、連続ループ１０１〜１０１ｎのそれぞれが、少なくとも１つの連続ループ１０１〜１０１ｎのそれぞれの１つと共通な、少なくとも２つの比較器１１３‐１〜１１３‐２（図４）に接続されている。その場合、少なくとも２つの比較器１１３‐１、１１３‐２は、少なくとも一次及び二次比較器を提供するために、互いに対して並列な少なくとも１つの連続ループ１０１〜１０１ｎのそれぞれの１つに接続される。比較器システム１１０は（その比較器１１３〜１１３ｎを介して）、電流が、それぞれの連続ループ１０１〜１０１ｎの２つの電気終端のうちの一方から比較器システム１１０に流れるときに、閉ループ信号１１２を生成するように、任意の適切なやり方で構成されている（図１Ａでは、電流が終端１６１から流れるが、他の態様では、終端１６１が電流源１７０に接続され、終端１６０が比較器システム１１０に接続されるように、終端の位置が逆であってもよい）。比較器システム１１０は（その比較器１１３〜１１３ｎを介して）、電流が、それぞれの連続ループ１０１〜１０１ｎの２つの電気終端１６０、１６１のうちの一方から、比較器システム１１０に流れることを止めるときに、開ループ信号１１１を生成するようにも、任意の適切なやり方で構成されている。比較器１１３〜１１３ｎは、一態様では、電流源１７０からそれぞれの連続ループ１０１〜１０１ｎへの出力電圧を、それぞれの連続ループ１０１〜１０１ｎからそれぞれの比較器１１３〜１１３ｎへの入力電圧と比較するように構成された、任意の適切な回路を含んでよい。その場合、それぞれの連続ループ１０１〜１０１ｎから来る任意の電圧が検出されないならば、比較器は、それぞれの連続ループ１０１〜１０１ｎ内の電流の流れの不存在を検知／判断する。
【００１５】
一態様では、比較器システム１１０は、隣接する電気ケーブル１４０、１４１、１４２の間の連続性を表す、聴覚と視覚の表示のうちの１以上を生成するように構成されている。例えば、比較器システム１１０は、（例えば、それぞれの連続回路１０１〜１０１ｎの終端１６０、１６１の間の電圧の比較を介して）比較器システム１１０が電流を検出し、閉ループ信号１１２を生成するときに、起動される（又は起動されない）（上述されたものなどの）聴覚インジケータ１１４と（上述されたものなどの）視覚インジケータ１１５のうちの１以上を含む。例えば、（上述されたものなどの）聴覚インジケータ１１４及び／又は視覚インジケータ１１５の作動は、障壁セグメント１３０、１３１、１３２によって形成された囲い込みが固定され、その囲い込みの範囲内で製造が開始し得る、囲い込みシステム１００のオペレータに表示を提供してよい。（上述されたものなどの）聴覚インジケータ１１４及び／又は視覚インジケータ１１５が作動されない場合、囲い込みが固定されておらず、権限のないアクセスがあったか又は障壁が適切に設置されていない表示がオペレータに示される。一態様では、少なくとも１つの連続ループ１０１〜１０１ｎのそれぞれが、電流源１７０からそれぞれの連続ループ１０１〜１０１ｎを接続又は接続解除するように構成されたスイッチ１９０を含む。それは、オペレータが、聴覚インジケータ１１４及び／又は視覚インジケータ１１５を起動させることなしに、囲い込みシステム１００を設定又はさもなければ再構成することを可能にするためなどである。
【００１６】
図１Ａ及び図１Ｂを参照すると、終端１６０が接続されている図１Ａで示されている実施例では、電流源１７０が、少なくともそれぞれの連続ループ１０１〜１０１ｎに電流／電圧を供給するように構成されている。電流源１７０は、少なくとも１つのバッテリ１７２〜１７２ｎを有する、直流電源１７１を備える。一態様では、充電システム１８０が、直流電源１７１に接続され、少なくとも１つのバッテリ１７２〜１７２ｎを充電するように構成されている。充電システム１８０は、囲い込みシステム１００が、交流線電力（alternating current line power）が利用可能な工場の建物又は任意の他の場所内に位置付けられている場合などに、交流線電力１７３から動作し得る。他の態様では、充電システム１８０が、任意の適切な環境内の少なくとも１つのバッテリ１７２〜１７２ｎを充電するための任意の適切な充電システムであってよい。例えば、充電システム１８０は、少なくとも１つのバッテリ１７２〜１７２ｎを充電するための（又は交流線電力１７３が利用可能でない場合に遠隔環境内で交流線電力１７３の代わりに一次電力を提供するための）、ソーラー充電システム１８１、風力充電システム１８２、及び液体力学的充電システム１８３のうちの１つ以上を含んでよい。一態様では、少なくとも１つのバッテリ１７２〜１７２ｎが、ホットスワップ対応（hot swappable）である（例えば、囲い込みシステム１００への電力及び／又は少なくとも１つのバッテリ１７２〜１７２ｎへの電力を接続解除することなしに、１つのバッテリを別の１つのバッテリと交換可能である）。電流源１７０は、囲い込みシステム１００の動作向けに、交流線電力１７３を直流電力に変換する、交流（A／C）・直流（D／C）変換器１７４を備える。一態様では、囲い込みシステム１００の動作向けに、A／C・D／C変換器１７４が、充電システム１８０からの電力を変換する。その場合、充電システム１８０は、（電力バックアップとして動作する少なくとも１つのバッテリを備えた）遠隔環境内などの、囲い込みシステム１００の電力の一次源である。一態様では、充電システム１８０が、直流電源１７１に直接接続するためのA／C・D／C変換器を含んでよい。
【００１７】
図１Ａ、図１Ｂ、及び図３を参照すると、交流線電力１７３が利用可能でないときに、直流電源１７１は、少なくとも１つのバッテリ１７２〜１７２ｎを介して、少なくとも１つの連続ループ１０１〜１０１ｎに電流を供給するように構成されている。比較器システム１１０は、交流線電力１７３の損失を示すように構成された、線電圧比較器１１６を含む。交流線電力１７３の損失に際して、線電圧比較器１１６は、任意の適切なやり方で、交流線電力１７３から少なくとも１つのバッテリ１７２〜１７２ｎに、電流源を切り替えるように構成されている。例えば、線電圧比較器１１６は、任意の適切なやり方で、１以上のリレー３０１〜３０３（図３）を作動させて、交流線電力１７３を少なくとも１つの連続ループ１０１〜１０１ｎから接続解除し、少なくとも１つのバッテリ１７２〜１７２ｎを少なくとも１つの連続ループ１０１〜１０１ｎに接続する。逆に、線電圧比較器は、交流線電力の検出の際に、少なくとも１つのバッテリ１７２〜１７２ｎを少なくとも１つの連続ループ１０１〜１０１ｎから接続解除するように、且つ、交流線電力１７３を少なくとも１つの連続ループ１０１〜１０１ｎに接続するように、１以上のリレー３０１〜３０３を作動させることなどによって、電流源を少なくとも１つのバッテリ１７２〜１７２ｎから交流線電力１７３に切り替えるように構成されている。
【００１８】
上述のように、比較器システム１１０は、少なくとも１つの比較器１１３〜１１３ｎを備える。一態様では、比較器システム１１０が、少なくとも１つのそれぞれの連続ループ１０１〜１０１ｎのそれぞれに対して少なくとも１つの比較器１１３〜１１３ｎを含み、一方、他の態様では、２つの連続ループが、同じ又は共通の（１以上の）比較器を共有してよい。本開示の態様によれば、２つ以上の隣接する囲い込みシステム１００、１００Ａが、通信可能に接続されてよい。それによって、例えば、囲い込みシステム１００（図６Ａ）の比較器１１３は、（二値信号の形態を採り得る）開ループ信号１１１又は閉ループ信号１１２の何れかを、隣接する囲い込みシステム１００Ａ（図３及び図６Ａ）の比較器１１３Ａに送信又はリレーする。今度は、比較器１１３Ａが、比較器１０１から受信した開ループ信号１１１又は閉ループ信号１１２並びに比較器１１３Ａからの開ループ信号１１１又は閉ループ信号１１２を、２つ以上の隣接する囲い込みシステム１００、１００Ａに共通であり得、且つ、２つ以上の通信可能に接続された囲い込みシステム１００、１００Ａを介して（本明細書で説明されるように）侵入又は脱出の表示を提供する、共通の囲い込みコントローラ１２０Ｃ（実質的に図１Ａの囲い込みコントローラ１２０に類似し、障壁コントローラとも称され、その場合、囲い込みシステムは、障壁システム６０４（図６Ａ参照）として構成される）にリレーしてよい。他の態様では、隣接する囲い込みシステム１００Ａは、単一の開ループ信号又は閉ループ信号のみを共通の囲い込みコントローラ１２０Ｃに送信しながら、囲い込みシステム１００の動作状態を説明するための任意の適切なプログラミング／回路を含んでよい。例えば、比較器１１３Ａは、比較器１１３からの開ループ信号１１１又は閉ループ信号１１２を認識するために、任意の適切な処理を含んでよい。比較器１１３Ａが比較器１１３から閉ループ信号１１２を受信し、囲い込みシステム１００Ａを通る侵入又は脱出が存在しない場合、比較器１１３Ａは、比較器１１３Ａからの閉ループ信号１１２のみを共通の囲い込みコントローラ１２０Ｃにリレーする。比較器１１３Ａが比較器１１３から開ループ信号１１１を受信し、囲い込みシステム１００Ａを通る侵入又は脱出が存在しない場合、比較器１１３Ａは、比較器１１３Ａからの開ループ信号１１１のみを共通の囲い込みコントローラ１２０Ｃにリレーする。比較器１１３Ａが比較器１１３から閉ループ信号１１２を受信し、囲い込みシステム１００Ａを通る侵入又は脱出が存在する場合、比較器１１３Ａは、比較器１１３Ａからの開ループ信号１１１のみを共通の囲い込みコントローラ１２０Ｃにリレーする。比較器１１３Ａが比較器１１３から開ループ信号１１１を受信し、囲い込みシステム１００Ａを通る侵入又は脱出が存在する場合、比較器１１３Ａは、比較器１１３Ａからの開ループ信号１１１のみを共通の囲い込みコントローラ１２０Ｃにリレーする。このリレー方式では、組み合わされた囲い込みシステムが、上述の約５マイルより上の長さ（約８マイル）まで延伸されてよい。開又は閉ループ信号に加えて、共通の囲い込みコントローラ１２０Ｃは、組み合わされた囲い込みシステム１００、１００Ａの所定エリアへの侵入又は脱出に対する迅速な応答を促進するために、どの囲い込みシステム１００、１００Ａが侵入又は脱出を示しているかの表示を、隣接する囲い込みシステム１００、１００Ａから受け取ってもよい。
【００１９】
囲い込みシステム１００は、比較器システム１１０の聴覚インジケータ１１４及び／又は視覚インジケータ１１５のみに基づいて動作してよいが、比較器システム１１０は、所定の閉鎖エリア５００に対してローカルであってよく、聴覚インジケータ１１４及び／又は視覚インジケータ１１５の遠隔観察を提供しなくてよい。例えば、図１Ａ、図４、図５、及び図７を参照すると、囲い込みシステム１００は、図４では、所定の閉鎖エリア５００を画定する単一の連続ループ１０１システムとして示されている。図５は、囲い込みシステム１００を、複数の連続ループ１０１〜１０１Ｂシステムとして示している。その場合、複数の連続ループ１０１〜１０１Ｂは、人工構造物（例えば、壁６００）と共に所定の閉鎖エリア５００を画定する。図７は、単一の連続ループ１０１〜１０１Ｄと複数の連続ループ１０１Ｅ〜１０１Ｈとを組み合わせた、複数の所定の閉鎖エリア５００を画定する囲い込みシステム１００を示している。図４、図５、及び図７では、複数のループ１０１〜１０１Ｈのそれぞれが、それぞれの聴覚インジケータ１１４及び／又は視覚インジケータ１１５を作動させる、それぞれの比較器１１３Ａ〜１１３Ｈを有する。この態様では、聴覚インジケータ１１４及び／又は視覚インジケータ１１５を、それぞれの連続ループ１０１〜１０１Ｈにおいて又は隣接して配置することによって、比較器１１３〜１１３Ｈのうちの１つが、それぞれの連続ループ１０１〜１０１Ｈからの電流の損失を検知したときに、どの連続ループ１０１〜１０１Ｈが注意を必要とするかの表示を、オペレータに提供することができる。しかし、１以上の連続ループ１０１〜１０１Ｈは、オペレータの視野から外に配置されてよい。この態様では、囲い込みシステム１００が、連続ループ１０１〜１０１Ｈの中央及び／又は移動監視を提供することができる、囲い込みコントローラ１２０を含む。
【００２０】
図１Ａ、図１Ｃ、図４、図５、及び図７を未だ参照すると、少なくとも１つのそれぞれの連続ループ１０１〜１０１Ｈのそれぞれ向けの比較器１１３〜１１３Ｈは、任意の適切なやり方で、囲い込みコントローラ１２０と通信可能に接続されている。例えば、少なくとも１つのそれぞれの連続ループ１０１〜１０１Ｈのそれぞれ向けの比較器１１３〜１１３Ｈは、ドライコンタクト接続１２５、イーサネット接続１２６（又は他の適切な有線接続）、及び無線接続１２７のうちの１以上を介して、囲い込みコントローラと通信可能に接続されている。無線接続１２７は、Bluetooth（登録商標）接続１２８、Wi-Fi接続１２９、又は任意の他の適切な無線接続（例えば、人工衛星、セルラーなど）であってよい。囲い込みコントローラ１２０は、聴覚インジケータ１１４及び／又は視覚インジケータ１１５に関連して上述されたものと実質的に類似したやり方で、少なくとも１つのそれぞれの連続ループ１０１〜１０１Ｈのそれぞれの連続性の接続解除を示すように構成された、聴覚インジケータ１２２及び／又は視覚インジケータ１２１のうちの１以上を含む。一態様では、囲い込みコントローラ１２０が、連続ループ１０１〜１０１Ｈの中央監視を提供する場合、囲い込みコントローラは、比較器１１３〜１１３Ｈから信号を受信し、静止デバイスに接続された聴覚インジケータ１２２及び／又は視覚インジケータ１２１を起動（又は起動解除）するように構成された、適切な静止デバイス（例えば、デスクトップコンピュータ、専用ユーザインターフェースなど）を含んでよい（例えば、静止デバイスは、連続ループ１０１〜１０１Ｈを概略的に示し、比較器１１３〜１１３Ｈによって生成された閉ループ信号１１２及び開ループ信号１１１に基づいて、それぞれの連続ループ１０１〜１０１Ｈの連続性に関する表示を提供する、囲い込みシステム監視プログラムを含んでよい）。囲い込みコントローラ１２０が、連続ループ１０１〜１０１Ｈの移動監視を提供する場合、囲い込みコントローラは、携帯／セルラー電話、タブレットコンピュータ、又は他の適切な携帯デバイスを含んでよい。その場合、聴覚インジケータ１２２及び／又は視覚インジケータ１２１は、移動可能デバイスのユーザインターフェースの中に組み込まれる（例えば、移動可能デバイスは、連続ループ１０１〜１０１Ｈを概略的に示し、比較器１１３〜１１３Ｈによって生成された閉ループ信号１１２及び開ループ信号１１１に基づいて、それぞれの連続ループ１０１〜１０１Ｈの連続性に関する表示を提供する、囲い込みシステム監視アプリケーションを含んでよい）。一態様では、囲い込みコントローラが、任意の囲い込み５５０の侵入又は脱出の位置、日付、及び／又は時間（例えば、周波数）を記録する、メモリを含み又は監視システムに接続される。
【００２１】
再び、図１Ａ、図４、図５、及び図７を参照すると、囲い込みシステム１００は、図４では、所定の閉鎖エリア５００を画定する単一の連続ループ１０１システムとして示されている。複数の障壁セグメント１３０〜１３８は、囲い込み５５０の側部６７０〜６７３を形成するように、連続的に配置されている。その場合、連続ループ１０１は、２つ以上の側部６７０〜６７３に沿って延在する。例えば、障壁セグメント１３０〜１３８は、囲い込みシステム１００の少なくとも２つの側部を形成するように、互いに対して連続的に配置されている。一態様では、本明細書で説明されるように、囲い込みシステムの少なくとも２つの側部のうちの少なくとも１つの障壁セグメント１３０〜１３８が、障壁セグメント１３０〜１３８上で互いから垂直に間隔を空けられた、少なくとも２つの連続ループ１０１、１０１Ａを備える。一連の電気接続されたケーブル６２０が、連続ループ１０１を形成するように連続的に配置された障壁セグメント１３０〜１３８に沿って延在する（障壁セグメント１３０〜１３８は、所定の閉鎖エリア５００を囲い込むように互いに接続されているが、比較器１１３と連続ループ１０１の例示の目的で分離しているように、概略的に図示されていることに留意されたい）。本開示の障壁セグメント１３０〜１３８は、障壁セグメントのインターフェース６６６を画定するように、互いに対して連続的に配置され、一連の電気接続されたケーブル６２０の隣接する電気ケーブルは、それぞれの障壁セグメントのインターフェース６６６（図６Ａ及び図６Ｂ参照）において互いに対して電気接続されている。一態様では、障壁セグメント１３０〜１３８上に配置された１つより多い連続ループ１０１が存在してよい。例えば、各連続ループ１０１は、障壁セグメント１３０〜１３８の少なくとも１つの高さ６９８に沿って互いに異なる標高に、間隔を空けて（例えば、垂直に間隔を空けて）配置されてよい。それによって、図６Ａで示されたものと類似したやり方で、一連の電気接続されたケーブル６２０が、障壁セグメント１３０〜１３８の底部６１１に隣接して配置され、別の一連の電気接続されたケーブル６２０は、障壁セグメント１３０〜１３８の上部６１２に隣接して配置される。更に他の態様では、図６Ｂで示されているものと類似したやり方で、２つより多い一連の電気接続されたケーブル６２０が、障壁セグメント１３０〜１３８の上部６１２、底部６１１、及び中間６１３などにおいて、高さ６９８に沿って互いに対して垂直に間隔を空けられてよい。この態様では、障壁セグメント１３０〜１３８のうちの１以上が、障壁セグメント１３０〜１３８上で互いから間隔を空けられた２つの連続的なループ１０１、１０１Ａの少なくとも一部分を備える。
【００２２】
図５は、囲い込みシステム１００を、複数の連続ループ１０１〜１０１Ｂシステムとして示している。その場合、複数の連続ループ１０１〜１０１Ｂは、人工構造物（例えば、壁６００）と共に囲い込み５５０を形成し、所定の閉鎖エリア５００を画定する。他の態様では、別の連続的なループが、壁６００の代わりに配置されてよい。それによって、連続的なループは、（図７で示されているように）所定の閉鎖エリア５００を完全に取り囲む全体の外周（囲い込み５５０）を形成する。この態様では、壁６００が、所定の閉鎖エリア５００のそれぞれの側部６７０を画定し、障壁セグメント１３０〜１３３が、所定の閉鎖エリア５００のそれぞれの側部６７１を画定し、障壁セグメント１３０Ａ〜１３２Ａが、所定の閉鎖エリア５００のそれぞれの側部６７２を画定し、且つ、障壁セグメント１３０Ｂ〜１３３Ｂが、所定の閉鎖エリア５００のそれぞれの側部６７３を画定する。図５の障壁セグメント１３０〜１３３、１３０Ａ〜１３２Ａ、１３０Ｂ〜１３３Ｂによって形成された囲い込みシステム１００の各側部６７１〜６７３（及び壁が障壁セグメントで置き替えられる態様では全ての側部、図７参照）は、少なくとも１つのそれぞれの連続ループ１０１〜１０１Ｂを含む。例えば、障壁セグメント１３０〜１３３は、連続ループ１０１を形成するために障壁セグメント１３０〜１３３に沿って延在する、それぞれの一連の電気接続されたケーブル６２０を有する。障壁セグメント１３０Ａ〜１３２Ａは、連続ループ１０１Ａを形成するために障壁セグメント１３０Ａ〜１３２Ａに沿って延在する、それぞれの一連の電気接続されたケーブル６２０を有する。障壁セグメント１３０Ｂ〜１３３Ｂは、連続ループ１０１Ｂを形成するために障壁セグメント１３０Ｂ〜１３３Ｂに沿って延在する、それぞれの一連の電気接続されたケーブル６２０を有する。
【００２３】
図６Ｃも参照すると、所定の閉鎖エリア５００の隣接する側部６７１〜６７３が交差する又は出会う場合、障壁セグメント（障壁セグメント１３２Ａ、１３３Ｂなど、図６Ｃ）は、所定の閉鎖エリア５００の角部６７９を形成してよい。隣接する側部６７１〜６７３が、それぞれの連続ループ１０１〜１０１Ｂを形成する（１以上の）電気ケーブル１４０〜１４２の一部分と交差する又は出会う場合、角部６７９などの角部における侵入又は脱出の検出を提供するために、所定の閉鎖エリア５００の１つより多い側部６７１〜６７３にとって共通であってよい。例えば、連続ループ１０１Ａは、一連の電気接続されたケーブル６２０（図６Ａ）の各電気ケーブル内に少なくとも１つの導体６９２を有する、一連の電気接続されたケーブル６２０から形成されてよい。この態様では、連続ループ１０１Ｂに属する障壁セグメント１３３Ｂの一部分の周りを包むように、連続ループ１０１Ａの電気ケーブル１４１のうちの１以上が、障壁セグメント１３２Ａから延在してよい。したがって、それぞれの側部６７２向けのそれぞれの連続ループ１０１Ａの一部分は、それぞれの側部６７２と隣接する側部６７３の両方に対して共通である。（１以上の）電気ケーブル１４１は、隣接する電気ケーブル１４０、１４２に接続されてよい。それによって、隣接する電気ケーブルの電気コネクタ１５０、１５１が、隣接する障壁セグメント１３３Ｂ、１３２Ａの間の障壁セグメントのインターフェース６６６に隣接して配置される。その場合、隣接する障壁セグメントは、１以上の結合部材６６７（例えば、ストラップ、ベルト、タイなど）を用いて、互いに対して連結されてよい。この態様では、連続ループ１０１Ａの一連の電気接続されたケーブル６２０が、障壁セグメント１３０Ａ〜１３２Ａのうちの少なくとも１つの異なる標高に（例えば、上部に隣接して、底部に隣接して）配置されている。
【００２４】
図５及び図６Ｃを未だ参照すると、別の一態様では、連続ループ１０１Ｂが、一連の電気接続されたケーブル６２０の各電気ケーブル内に少なくとも２つの導体６９２（図６Ｃ）を有する、一連の電気接続されたケーブル６２０から形成されてよい。それによって、単一のケーブルが、それぞれの連続ループ１０１〜１０１ｎの対応する両側部を含む（例えば、電気接続されたケーブル内の１つの導体内の電流は、一方向に流れ、ケーブル内の別の導体内の電流は、反対の方向に流れ、その場合、その方向はループされた端部６８０によって変更される）。連続ループ１０１Ｂの一連の電気接続されたケーブル６２０の少なくとも１つの電気ケーブル１４３は、インラインＴカップリング６８１、インラインＴカップリング６８１から延在するケーブル延長部６８２、及び、インラインＴカップリング６８１に接続されたときにループ６８４を形成する電気コネクタ６８３によって形成される、ループされた端部６８０を含む。この態様では、ケーブル延長部６８２が、両方の障壁セグメント１３２Ａ、１３３Ｂの部分の周りを包む。それによって、それぞれの側部６７３向けのそれぞれの連続ループ１０１Ｂの一部分が、それぞれの側部６７３と隣接する側部６７２の両方にとって共通である。少なくとも２つの導体６９２を有する、更なる一連の電気接続されたケーブル６２０が、異なる標高に配置されてよい。少なくとも２つの導体６９２のそれぞれは、図６Ａ及び図６Ｂで示されたものと類似したやり方で、それぞれの連続ループを形成する。
【００２５】
図７は、単一の連続ループ１０１〜１０１Ｄと複数の連続ループ１０１Ｅ〜１０１Ｈとを組み合わせた、複数の所定の閉鎖エリア５００を画定する囲い込みシステム１００を示している。図７では、それぞれの単一の連続ループ１０１〜１０１Ｄによって形成された囲い込み５５０が、それぞれ、図４、図６Ａ、及び図６Ｂのうちの１以上に関連して説明された、連続ループ１０１に実質的に類似する。複数の連続ループ１０１Ｅ〜１０１Ｈによって形成された囲い込み５５０は、図5、図６Ａ、図６Ｂ、及び図６Ｃのうちの１以上に関連して説明された、囲い込みに実質的に類似する。
【００２６】
図１Ａ、図４、及び図５を参照すると、囲い込みシステム１００は、自動化されたアセンブリロボットや他の自動化された機械などの自動化された装備５７６を含む、（航空機５７５Ａ、自動車５７５Ｂ、船舶５７５Ｃなどであり得る輸送体５７５向けなどである）製造エリアの周りに、囲い込み５５０を提供するように採用されてよい。この態様では、囲い込みシステム１００が、有線又は無線のカップリング（例えば、本明細書で説明されたものなど）を介するなどして、任意の適切なやり方で囲い込みコントローラ１２０と通信可能に接続された、自動化コントローラ１７５を含む。一態様では、自動化コントローラ１７５が、囲い込みコントローラ１２０の部分であってよく、一方、他の態様では、囲い込みコントローラ１２０が、自動化コントローラ１７５の部分であってよい。自動化コントローラ１７５は、（例えば、本明細書で説明されたものなどの有線又は無線のカップリングを介して）自動化された装備５７６と通信可能に接続され、比較器システム１１０が開ループ信号１１１を生成したときに、自動化された装備５７６のシャットダウンを命令するように構成されている。例えば、囲い込みシステムの比較器１１３〜１１３ｎのうちの１つが、それぞれのループ連続１０１ｎからの電流の流れの損失を検出したときに、比較器システム１１０が、比較器１１３〜１１３ｎのうちの１つを介して、開ループ信号１１１を生成し、その開ループ信号１１１を囲い込みコントローラ１２０と自動化コントローラ１７５に送信する。開ループ信号１１１を受信した際に、自動化コントローラ１７５は、自動化された装備５７６のシャットダウン用に自動化された装備５７６ｂに適切な命令を発行する。この態様では、所定の閉鎖エリア５００の中への侵入（又はからの脱出）のイベントにおいて、自動化された装備５７６が、侵入者の進入に際して実質的に直ちにシャットダウンする。自動化されたコントローラ１７５は、（本明細書で説明されたものに類似した）視覚インジケータ１７６と聴覚インジケータ１７７のうちの１以上も含み、所定の閉鎖エリア５００の中への潜在的な侵入（又はからの脱出）を囲い込みシステムのオペレータに警告するために、比較器システム１１０が開ループ信号１１１を生成するときに、聴覚と視覚の表示のうちの１以上を生成するように構成されている。
【００２７】
図１Ａ及び図８を参照すると、本開示の態様による、閉鎖エリア内の権限のない存在をオペレータに警告する例示的な方法８００が、説明されることとなる。方法８００は、一連の電気接続されたケーブル６２０内の隣接する電気ケーブル１４０〜１４２の電気コネクタ１５０、１５１を接続解除すること（図８、ブロック８０５）を含む。その場合、一連の電気接続されたケーブル６２０は、少なくとも１つの障壁セグメント１３０〜１３２に沿って延在し、隣接する電気ケーブル１４０〜１４２は、少なくとも１つの障壁セグメント１３０〜１３２を通る連続的なループ１０１を形成するように、互いに対して電気接続されている。電気コネクタ１５０、１５１は、障壁セグメントのインターフェース６６６（図６Ａ及び図６Ｃ参照）を通過することによって、及び／又は、障壁セグメント１３０〜１３２を越えて登ることによって、何か又は何者かが、障壁セグメント１３０〜１３２によって形成された、囲い込み５５０（図４、図５、及び図７参照）に入ることを試みるときに、接続解除されてよい。電気コネクタ１５０、１５１が、接続解除されたときに、電源１７０からの電流が、連続ループ１０１を通って流れることを止める。電流の流れのこの停止は、比較器１１３によって検出され又は検知される。電流の流れの不存在を検出した際に、比較器システム１１０は、比較器１１３を介して、開ループ信号１１１を生成する（図８、ブロック８１０）。その場合、開ループ信号は、（例えば、比較器１１３を介した）比較器システム１１０による、一連の電気接続されたケーブル６２０の各終端１６０、１６１における電圧の比較に基づいて、一連の電気接続されたケーブル６２０内の電流の不存在を示す。一連の電気接続されたケーブル６２０内の電流の不存在は、所定の閉鎖エリア５００（図４、図５、及び図７）の中への試みられた侵入若しくは侵入（又はからの試みられた脱出若しくは脱出）を示してよい。さもなければ、比較器システム１１０は、比較器１１３を介して、電流の流れを検出したときに、比較器システム１１０による、一連の電気接続されたケーブル６２０の各終端１６０、１６１における電圧の比較に基づいて、比較器１１３を介して、一連の電気接続されたケーブル６２０の内の電流の存在を示す閉ループ信号１１２を生成する。囲い込み５５０が適正に固定され設置されたことをオペレータに示すために、本明細書で説明されたように、閉ループ信号１１２の聴覚と視覚の表示のうちの少なくとも一方が生成されてよい。自動化コントローラ１７５は、設けられた場合に、比較器システム１１０が開ループ信号１１１を生成したときに、自動化された装備５７６のシャットダウンを命令してよい。本明細書で説明されたように、聴覚と視覚の表示のうちの少なくとも一方が、開ループ信号に基づいて生成される（図８、ブロック８１５）。
【００２８】
障壁セグメントのインターフェース６６６（図６Ａ及び図６Ｃ）を画定するように、電気コネクタ１５０、１５１の接続解除前に、所定の閉鎖エリア５００が、複数の障壁セグメント１３０〜１３２を互いに対して連続的に配置することによって形成される。その場合、隣接する電気ケーブル１４０〜１４２は、それぞれの障壁セグメントのインターフェース６６６において、互いに対して電気接続される。所定の閉鎖エリア５００の側部６７０〜６７３（図４、図５、及び図７）が、複数の障壁セグメント１３０〜１３２を用いて形成される。一態様では、各側部６７０〜６７３が、それぞれの連続ループ１０１〜１０１ｎを有し、比較器システム１１０が、各それぞれの連続ループ１０１〜１０１ｎ向けに、それぞれの比較器１１３〜１１３ｎを含む。電流が、電流源１７０によって（１以上の）連続ループ１０１〜１０１ｎに供給される。その場合、比較器システム１１０が、（１以上の）連続ループ１０１〜１０１ｎの一方の終端１６１に接続され、電流源１７０が、（１以上の）連続ループ１０１〜１０１ｎの他方の終端１６０に接続される。比較器システム１１０が、電流源１７０に接続されて、終端１６０、１６１における電圧の比較をもたらし得る。それによって、比較器１１３〜１１３ｎは、それぞれの連続ループ１０１〜１０１ｎ内の電流の不存在又は存在を検出することができる。
【００２９】
本開示の態様による以下のものが提供される。
Ａ１．
囲い込みシステムであって、
障壁セグメント、
各障壁セグメントに接続された少なくとも１つの電気ケーブルであって、各電気ケーブルは、電気ケーブルの第１の終点と第２の終点のそれぞれに配置された電気コネクタを有し、各電気コネクタは、障壁セグメントを通る少なくとも１つの連続ループを形成するように、隣接する電気ケーブルの別の電気コネクタと解放可能に接続されるように構成され、各連続ループは、連続ループの自由端に配置された２つの電気終端を含む、少なくとも１つの電気ケーブル、並びに
それぞれの連続ループに接続された比較器システムであって、電流が、それぞれの連続ループの２つの電気終端のうちの一方から比較器システムに流れるときに、閉ループ信号を生成し、電流が、それぞれの連続ループの２つの電気終端のうちの一方から比較器システムに流れることを止めるときに、開ループ信号を生成するように構成された、比較器システムを備える、囲い込みシステム。
Ａ２．
それぞれの連続ループの２つの電気終端うちの他方に対して接続された電流源を更に備え、電流源が、少なくともそれぞれの連続ループに電流を供給するように構成されている、段落Ａ１に記載の囲い込みシステム。
Ａ３．
電流源が直流電源を備える、段落Ａ２に記載の囲い込みシステム。
Ａ４．
直流電源が少なくとも１つのバッテリを備える、段落Ａ３に記載の囲い込みシステム。
Ａ５．
少なくとも１つのバッテリを充電するように構成された充電システムを更に備える、段落Ａ４に記載の囲い込みシステム。
Ａ６．
充電システムが、ソーラー充電システム、風力充電システム、及び液体力学的充電システムのうちの１以上である、段落Ａ５に記載の囲い込みシステム。
Ａ７．
少なくとも１つのバッテリがホットスワップ対応である、段落Ａ４に記載の囲い込みシステム。
Ａ８．
電流源が、交流線電力を直流電力に変換する交流・直流変換器を備える、段落Ａ２に記載の囲い込みシステム。
Ａ９．
電流源は、交流線電力が利用可能でないときに、電流を供給するように構成された少なくとも１つのバッテリを備える、段落Ａ８に記載の囲い込みシステム。
Ａ１０．
比較器システムが、交流線電力の損失を示すように構成された線電圧比較器を含む、段落Ａ９に記載の囲い込みシステム。
Ａ１１．
比較器システムが、交流線電力の損失に際して、交流線電力から少なくとも１つのバッテリに電流源を切り替えるように構成された線電圧比較器を含む、段落Ａ９に記載の囲い込みシステム。
Ａ１２．
線電圧比較器が、交流線電力の検出に際して、少なくとも１つのバッテリから交流線電力に電流源を切り替えるように構成されている、段落Ａ１１に記載の囲い込みシステム。
Ａ１３．
それぞれの連続ループが、電流源からのそれぞれの連続ループを接続及び接続解除するように構成されたスイッチを含む、段落Ａ２に記載の囲い込みシステム。
Ａ１４．
比較器システムが、比較器、並びに聴覚インジケータ及び視覚インジケータのうちの１以上を備え、聴覚インジケータ及び視覚インジケータのうちの１以上が、電流の流れが比較器において受け取られたことの表示を提供するように構成されている、段落Ａ１に記載の囲い込みシステム。
Ａ１５．
連続ループの自由端が、隣接する電気ケーブルに接続されていない、段落Ａ１に記載の囲い込みシステム。
Ａ１６．
障壁セグメントが、囲い込みシステムの少なくとも２つの側部を形成するように、互いに対して連続的に配置され、且つ
囲い込みシステムの各側部が、少なくとも１つのそれぞれの連続ループを含む、段落Ａ１に記載の囲い込みシステム。
Ａ１７．
比較器システムが、少なくとも１つのそれぞれの連続ループのそれぞれ向けの比較器を含む、段落Ａ１６に記載の囲い込みシステム。
Ａ１８．
少なくとも１つのそれぞれの連続ループのそれぞれ向けの比較器が、囲い込みコントローラと通信可能に接続され、囲い込みコントローラが、少なくとも１つのそれぞれの連続ループのそれぞれの連続性の接続解除を示すように構成された、聴覚インジケータと視覚インジケータのうちの１以上を含む、段落Ａ１７に記載の囲い込みシステム。
Ａ１９．
少なくとも１つのそれぞれの連続ループのそれぞれ向けの比較器が、ドライコンタクト接続、イーサネット接続、及び無線接続のうちの１以上を介して、囲い込みコントローラと通信可能に接続されている、段落Ａ１７に記載の囲い込みシステム。
Ａ２０．
無線接続が、Bluetooth（登録商標）接続とWi-Fi接続のうちの１以上を含む、段落Ａ１９に記載の囲い込みシステム。
Ａ２１．
囲い込みシステムの少なくとも２つの側部のうちの少なくとも１つの障壁セグメントが、障壁セグメント上で互いから間隔を空けられた少なくとも２つの連続ループを含む、段落Ａ１６に記載の囲い込みシステム。
Ａ２２．
比較器システムが、少なくとも１つの連続ループのそれぞれ向けの比較器を含む、段落Ａ１に記載の囲い込みシステム。
Ａ２３．
比較器システムが、囲い込みコントローラと通信可能に接続され、囲い込みコントローラは、比較器システムが開ループ信号を生成したときに、少なくとも１つの連続ループのそれぞれの連続性の接続解除を示すように構成された、聴覚インジケータと視覚インジケータのうちの１以上を含む、段落Ａ１に記載の囲い込みシステム。
Ａ２４．
比較器システムが、ドライコンタクト接続、イーサネット接続、及び無線接続のうちの１以上を介して、囲い込みコントローラと通信可能に接続されている、段落Ａ２３に記載の囲い込みシステム。
Ａ２５．
無線接続が、Bluetooth（登録商標）接続とWi-Fi接続のうちの１以上を含む、段落Ａ２４に記載の囲い込みシステム。
Ａ２６．
障壁セグメントのうちの１以上が、障壁セグメント上で互いから間隔を空けられた２つの連続ループの少なくとも一部分を備える、段落Ａ１に記載の囲い込みシステム。
Ａ２７．
比較器システムが、自動化コントローラと通信可能に接続され、自動化コントローラは、比較器システムが開ループ信号を生成したときに、自動化された装備のシャットダウンを命令するように構成されている、段落Ａ１に記載の囲い込みシステム。
Ａ２８．
自動化コントローラは、比較器システムが開ループ信号を生成したときに、聴覚表示と視覚表示のうちの１以上を生成するように構成されている、段落Ａ２７に記載の囲い込みシステム。
Ａ２９．
比較器システムが、少なくとも１つの連続ループのうちのそれぞれの１つに共通である少なくとも２つの比較器を備え、少なくとも２つの比較器が、互いに対して並列な少なくとも１つの連続ループのうちのそれぞれの１つに接続されている、段落Ａ１に記載の囲い込みシステム。
Ｂ１．
障壁システムであって、
少なくとも１つの障壁セグメントに沿って延在する一連の電気接続されたケーブルであって、一連の電気接続されたケーブルの隣接する電気ケーブルは、少なくとも１つの障壁セグメントを通る連続ループを形成するように、互いに対して電気接続されている、一連の電気接続されたケーブル、及び
連続ループに接続され、隣接する電気ケーブルの間の連続性を表す聴覚表示と視覚表示のうちの１以上を生成するように構成された、比較器システムを備える、障壁システム。
Ｂ２．
比較器システムは、電流がそれぞれの連続ループの終端において比較器システムによって検出されたときに、閉ループ信号を生成し、電流の不存在がそれぞれの連続ループの終端において比較器システムによって検出されたときに、開ループ信号を生成するように構成されている、段落Ｂ１に記載の障壁システム。
Ｂ３．
少なくとも１つの障壁セグメントが、障壁セグメントのインターフェースを画定するように互いに対して連続的に配置された複数の障壁セグメントを備え、隣接する電気ケーブルが、それぞれの障壁セグメントのインターフェースにおいて互いに対して電気接続されている、段落Ｂ１に記載の障壁システム。
Ｂ４．
複数の障壁セグメントが、囲い込みの側部を形成するように連続的に配置され、各側部が、それぞれの連続ループを有し、比較器システムが、各それぞれの連続ループ向けのそれぞれの比較器を含む、段落Ｂ３に記載の障壁システム。
Ｂ５．
それぞれの側部向けのそれぞれの連続ループの一部分が、それぞれの側部と隣接する側部の両方に共通である、段落Ｂ３に記載の障壁システム。
Ｂ６．
複数の障壁セグメントが、囲い込みの側部を形成するように連続的に配置され、連続ループが、２つ以上の側部に沿って延在する、段落Ｂ３に記載の障壁システム。
Ｂ７．
一連の電気接続されたケーブルが、少なくとも１つの障壁の異なる標高に配置されている、段落Ｂ１に記載の障壁システム。
Ｂ８．
比較器システムが、比較器、及び聴覚インジケータと視覚インジケータのうちの１以上を備え、聴覚インジケータと視覚インジケータのうちの１以上が、電流の流れが比較器において受け取られたことの表示を提供するように構成されている、段落Ｂ１に記載の障壁システム。
Ｂ９．
各連続ループが、自由端を備え、自由端が、一連の電気接続されたケーブルのうちの隣接する電気ケーブルに接続されていない連続ループの終点を形成する、段落Ｂ１に記載の障壁システム。
Ｂ１０．
比較器システムが、障壁コントローラと通信可能に接続され、障壁コントローラは、連続ループの連続性の接続解除を示すように構成された、聴覚インジケータと視覚インジケータのうちの１以上を含む、段落Ｂ１に記載の障壁システム。
Ｂ１１．
比較器システムが、ドライコンタクト接続、イーサネット接続、及び無線接続のうちの１以上を介して、障壁コントローラと通信可能に接続されている、段落Ｂ１０に記載の障壁システム。
Ｂ１２．
無線接続が、Bluetooth（登録商標）接続とWi-Fi接続のうちの１以上を含む、段落Ｂ１１に記載の障壁システム。
Ｂ１３．
障壁コントローラは、比較器システムが開ループ信号を生成したときに、連続ループの連続性の接続解除を示すように構成されている、段落Ｂ１０に記載の障壁システム。
Ｂ１４．
比較器システムが、自動化コントローラと通信可能に接続され、自動化コントローラは、比較器システムが開ループ信号を生成したときに、自動化された装備のシャットダウンを命令するように構成されている、段落Ｂ１に記載の障壁システム。
Ｂ１５．
自動化コントローラは、比較器システムが開ループ信号を生成したときに、聴覚表示と視覚表示のうちの１以上を生成するように構成されている、段落Ｂ１４に記載の障壁システム。
Ｂ１６．
電流源を更に備え、比較器システムが、連続ループの一方の終端に接続され、電流源が、連続ループの他方の終端に接続され、電流源が、連続ループに電流を供給するように構成されている、段落Ｂ１の障壁システム。
Ｂ１７．
電流源が直流電源を備える、段落Ｂ１６に記載の障壁システム。
Ｂ１８．
直流電源が少なくとも１つのバッテリを備える、段落Ｂ１７に記載の障壁システム。
Ｂ１９．
少なくとも１つのバッテリを充電するように構成された充電システムを更に備える、段落Ｂ１８に記載の障壁システム。
Ｂ２０．
充電システムが、ソーラー充電システム、風力充電システム、及び液体力学的充電システムのうちの１以上である、段落Ｂ１９に記載の障壁システム。
Ｂ２１．
少なくとも１つのバッテリがホットスワップ対応である、段落Ｂ１８に記載の障壁システム。
Ｂ２２．
電流源が、交流線電力を直流電力に変換する交流・直流変換器を備える、段落Ｂ１６に記載の障壁システム。
Ｂ２３．
電流源は、交流線電力が利用可能でないときに、電流を供給するように構成された少なくとも１つのバッテリを備える、段落Ｂ２２に記載の障壁システム。
Ｂ２４．
比較器システムが、交流線電力の損失を示すように構成された線電圧比較器を含む、段落Ｂ２３に記載の障壁システム。
Ｂ２５．
比較器システムが、交流線電力の損失に際して、交流線電力から少なくとも１つのバッテリに電流源を切り替えるように構成された線電圧比較器を含む、段落Ｂ２３に記載の障壁システム。
Ｂ２６．
線電圧比較器が、交流線電力の検出に際して、少なくとも１つのバッテリから交流線電力に電流源を切り替えるように構成されている、段落Ｂ２５に記載の障壁システム。
Ｂ２７．
連続ループが、電流源からの連続ループを接続及び接続解除するように構成されたスイッチを含む、段落Ｂ１６に記載の障壁システム。
Ｂ２８．
比較器システムが、連続ループ向けの少なくとも２つの比較器を備え、少なくとも２つの比較器が、互いに対して並列に連続ループと接続されている、段落Ｂ１に記載の障壁システム。
Ｃ１．
閉鎖エリア内の権限のない存在をオペレータに警告する方法であって、
一連の電気接続されたケーブル内の隣接する電気ケーブルの電気コネクタを接続解除することであって、一連の電気接続されたケーブルは、少なくとも１つの障壁セグメントに沿って延在し、隣接する電気ケーブルは、少なくとも１つの障壁セグメントを通る連続ループを形成するように、互いに対して電気接続されている、電気コネクタを接続解除すること、
一連の電気接続されたケーブルに接続された比較器システムを用いて開ループ信号を生成することであって、開ループ信号は、比較器システムによる、一連の電気接続されたケーブルの各終端における電圧の比較に基づいて、一連の電気接続されたケーブル内の電流の不存在を示す、開ループ信号を生成すること、及び
開ループ信号に基づいて、聴覚表示と視覚表示のうちの少なくとも一方を生成することを含む、方法。
Ｃ２．
比較器システムを用いて閉ループ信号を生成することであって、閉ループ信号が、比較器システムによる、一連の電気接続されたケーブルの各終端における電圧の比較に基づいて、一連の電気接続されたケーブル内の電流の存在を示す、閉ループ信号を生成することを更に含む、段落Ｃ１に記載の方法。
Ｃ３．
閉ループ信号の聴覚表示と視覚表示のうちの少なくとも一方を生成することを更に含む、段落Ｃ２に記載の方法。
Ｃ４．
障壁セグメントのインターフェースを画定するように、複数の障壁セグメントを互いに対して連続的に配置することによって、閉鎖エリアを形成することであって、隣接する電気ケーブルが、それぞれの障壁セグメントのインターフェースにおいて、互いに対して電気接続されている、閉鎖エリアを形成することを更に含む、段落Ｃ１に記載の方法。
Ｃ５．
複数の障壁セグメントを有する閉鎖エリアの側部を形成することであって、各側部が、それぞれの連続ループを有し、比較器システムが、各それぞれの連続ループ向けのそれぞれの比較器を含む、閉鎖エリアの側部を形成することを更に含む、段落Ｃ４に記載の方法。
Ｃ６．
開ループ信号に基づいて聴覚警告と視覚警告のうちの少なくとも一方を生成することが、比較器システムに接続された障壁コントローラを用いて聴覚警告と視覚警告のうちの少なくとも一方を生成することを含む、段落Ｃ１に記載の方法。
Ｃ７．
ドライコンタクト接続、イーサネット接続、及び無線接続のうちの１以上を介して、比較器システムを、障壁コントローラと通信可能に接続することを更に含む、段落Ｃ６に記載の方法。
Ｃ８．
比較器システムを自動化コントローラと通信可能に接続すること、及び比較器システムが開ループ信号を生成したときに、自動化コントローラを用いて自動化された装備のシャットダウンを命令することを更に含む、段落Ｃ１に記載の方法。
Ｃ９．
比較器システムが開ループ信号を生成したときに、自動化コントローラを用いて聴覚表示と視覚表示のうちの少なくとも一方を生成することを更に含む、段落Ｃ８に記載の方法。
Ｃ１０．
電流源を用いて連続ループに電流を供給することであって、比較器システムが、連続ループの一方の終端に接続され、電流源が、連続ループの他方の終端に接続されている、電流を供給することを更に含む、段落Ｃ１に記載の方法。
Ｃ１１．
充電システムを用いて電流源のバッテリを充電することを更に含む、段落Ｃ１０に記載の方法。
Ｃ１２．
電流源の交流・直流変換器を用いて、交流線電力を直流に変換することを更に含む、段落Ｃ１０に記載の方法。
Ｃ１３．
交流線電力が利用可能でないときに、電流源の少なくとも１つのバッテリを用いて、電流を供給することを更に含む、段落Ｃ１２に記載の方法。
Ｃ１４．
比較器システムの線電圧比較器を用いて、交流線電力の損失を表示することを更に含む、Ｃ１３に記載の方法。
Ｃ１５．
交流線電力の損失に際して、交流線電力から少なくとも１つのバッテリに電流源を自動的に切り替えることを更に含む、段落Ｃ１３に記載の方法。
Ｃ１６．
交流線電力の検出に際して、少なくとも１つのバッテリから交流線電力に電流源を自動的に切り替えることを更に含む、段落Ｃ１３に記載の方法。
【００３０】
参照された図面において、様々な要素及び／又は構成要素を連結する実線が存在する場合、これらの実線は、機械的、電気的、流体的、光学的、電磁的、及びその他の連結、並びに／又はその組み合わせを表し得る。本明細書において、「接続され（coupled）」は、直接的及び間接的に結合されていることを意味する。例えば、部材Ａは部材Ｂに直接的に結合されるか、又は、例えば、別の部材Ｃを介して間接的に結合されていてよい。開示される種々の要素間の全ての関係が必ずしも表わされているわけではないことが、理解されるであろう。したがって、図面で示されているもの以外のカップリング（連結、接続）も存在し得る。様々な要素及び／又は構成要素を示すブロックを接続する破線が存在する場合、これらの破線は、機能及び目的の点で実線によって表されているものに類似した接続を表わす。しかし、破線によって表わされた接続は、選択的に提供されるか、又は、本開示の代替的な実施例に関するかのどちらかであり得る。同様に、破線で表わされた要素及び／又は構成要素が存在する場合、それらは本開示の代替的な実施例を示す。実線及び／又は破線で示されている１以上の要素は、本開示の範囲から逸脱することなく、特定の実施例から省略され得る。環境要素が存在する場合、それらは点線で表わされる。分かりやすくするために、仮想的な（架空の）要素も示され得る。図面に示す特徴のうちの幾つかは、図面、他の図面、及び／又は付随する開示に記載された他の特徴を含むことを必要とせずに、様々な方法で組み合わされ得ることを（１以上のかかる組み合わせは本明細書で明示的に示されていないが）、当業者は理解するであろう。同様に、提示された実施例に限定されない更なる特徴が、本明細書で示され説明された特徴の一部又は全部と組み合わされてよい。
【００３１】
上記の図８では、ブロックは動作及び／又はその一部を表わすことがあり、様々なブロックを接続する線は、動作又はその一部の、いかなる特定の順番又は依存性も暗示していない。破線で示されるブロックは、代替的な工程及び／又はその一部を示す。様々なブロックを接続する破線がある場合、その破線は工程又はその一部の代替的な従属関係を表わす。開示されている様々な工程間の全ての従属関係が必ずしも表わされている訳ではないことが、理解されよう。本書に明記された１以上の方法の実施を説明する、図８及び付随する開示は、必ずしも、動作が実行されるシーケンスを決定すると解釈すべきではない。むしろ、１つの例示的な順序が示されたが、動作のシーケンスは、適切なときに変更され得ることを理解されたい。したがって、ある特定の工程は、異なる順番で又は同時に実行され得る。更に、当業者であれば、記載された全ての工程を実施する必要はないことを認識するであろう。
【００３２】
以下の説明において、開示された概念の完全な理解をもたらすために、多数の特定の詳細が明記されるが、その概念はこれらの特定事項の一部又は全てがなくとも実施され得る。他の事例においては、記載を不必要に分かりにくくすることを避けるために、既知のデバイス及び／又はプロセスの詳細が省略されている。一部の概念は特定の例と併せて説明されることになるが、それらの例は限定を目的とするものではないことが理解されよう。
【００３３】
別途提示されない限り、「第１」、「第２」などの用語は、本明細書では単に符号として使用されており、これらの用語が表すアイテムに対して、順序的、位置的、又は序列的な要件を課すことを意図していない。更に、例えば、「第２」のアイテムが言及された場合、例えば、「第１」の若しくはより小さい数のアイテム、及び／又は、「第３」の若しくはより大きい数のアイテムが必要とされたり、除外されたりすることはない。
【００３４】
本明細書における「一実施例」への言及は、その実施例に関連して説明される１以上の特徴、構造又は特性が、少なくとも１つの実行態様に含まれることを意味する。明細書内で頻出する「一実施例」という表現は、同一の実施例を表すこともあり、又は同一の実施例を表さないこともある。
【００３５】
本明細書において、特定の機能を実施する「ように構成／設定された（configured to）」システム、装置、構造、物品、要素、構成要素、又はハードウェアは、実際には、いかなる変更も伴わずにその特定の機能を実施することが可能であり、更なる改変の後にその特定の機能を実施する可能性があるにすぎないというものではない。換言すると、特定の機能を実施する「ように構成／設定された」システム、装置、構造、物品、要素、構成要素、又はハードウェアは、その特定の機能を実施するという目的のために、特に選択され、作り出され、実装され、利用され、プログラムされ、且つ／又は設計される。本明細書において、「ように構成／設定された（configured to）」という表現は、システム、装置、構造、物品、要素、構成要素、又はハードウェアがさらなる改変なしで特定の機能を実行することを可能にする、システム、装置、構造、物品、要素、構成要素、又はハードウェアの既存の特性を意味する。この開示において、特定の機能を実施する「ように構成／設定され」ていると説明されているシステム、装置、構造、物品、要素、構成要素、又はハードウェアは、追加的又は代替的には、その機能を実施するよう「適合している（adapted to）」、及び／又は、実施するよう「動作可能である（operative to）」とも説明され得る。
【００３６】
本明細書で開示されている装置及び方法の種々の実施例は、多種多様な構成要素、特徴及び機能を含む。本明細書で開示されている装置（複数可）及び方法（複数可）の様々な例は、本明細書で開示されている装置（複数可）及び方法（複数可）のその他の例のうちの任意のものの、任意の構成要素、特徴、及び機能を、任意の組み合わせにおいて含む可能性があり、且つ、かかる可能性は全て本開示の範囲に含まれると意図されていることを理解すべきである。
【００３７】
上記の説明及び添付図面に提示された教示を利用して、本開示が関係する当業者には、本明細書に明記された例示の多数の修正例が、想起されるであろう。
【００３８】
したがって、本開示は例示された特定の例に限定されることがないこと、及び、変形例及びその他の例は付随する特許請求の範囲に含まれると意図されていることを理解されたい。更に、上述の記載及びこれに関連する図面では、要素及び／又は機能の特定の例示的な組み合わせに照らして本開示の実施例が記載されているが、代替的な実行形態によって、添付の特許請求の範囲から逸脱することなく、要素及び／又は機能の異なる組み合わせが提供され得ることは理解されるべきである。そのため、付随する特許請求の範囲で括弧でくくられた参照番号は、例示目的でのみ提示されており、特許請求される主題の範囲を本開示内で提供される特定の例に限定することを意図しているわけではない。
【図１Ａ】
2020129361.tif 000003
【図１Ｂ】
2020129361.tif 000004
【図２】
2020129361.tif 000005
【図３】
2020129361.tif 000006
【図４】
2020129361.tif 000007
【図５】
2020129361.tif 000008
【図６Ａ】
2020129361.tif 000009
【図６Ｂ】
2020129361.tif 000010
【図６Ｃ】
2020129361.tif 000011
【図７】
2020129361.tif 000012
【図８】
2020129361.tif 000013
【外国語明細書】
2020129361000001.pdf
2020129361000002.pdf
2020129361000003.pdf
2020129361000004.pdf